Podtech/llm-jp-corpus-v4-ja_patent huggingface dataset:
(57)【要約】【課題】  小型で乾燥機能の優れた長ぐつ乾燥装置を提供する。【解決手段】  装着部４を、ステンレス棒を略Ｕ字状に形成して構成し、この装着部４にその開口から長ぐつ１０を逆にして略水平方向に押し込み、保持させる。【選択図】        図１
0003107482.tif 000002
【実用新案登録請求の範囲】
【請求項１】
上下方向に沿って配され、乾燥エアーが供給される本体部と、該本体部に前記乾燥エアーを供給するエアー供給手段と、前記本体部に上下方向に沿って取付けられて長ぐつが装着される複数の装着部と、前記本体部の前記各装着部の下方に設けられて該装着部に装着される長ぐつに前記乾燥エアーを吹き込む複数のノズルとを備え、
前記装着部は、くつ底を上にした逆配置の長ぐつの本体が略水平方向に係入されて支持される開口凹部を有することを特徴とする長ぐつ乾燥装置。
【請求項２】
前記装着部は、弾性を有する金属線材を前記開口凹部に対応させて略Ｕ字状に形成して成ることを特徴とする請求項１記載の長ぐつ乾燥装置。
【請求項３】
前記装着部は、前記開口凹部の形成された板材から成ることを特徴とする請求項１記載の長ぐつ乾燥装置。
【考案の詳細な説明】
【技術分野】
【０００１】
本考案は、工場等において長ぐつを乾燥するために設置される長ぐつ乾燥装置に関する。
【背景技術】
【０００２】
従来のこの種の乾燥装置は、例えば、図５に示すものが知られている。即ち、この乾燥装置は、乾燥エアーの供給される本体部から斜め上方に伸長する金属棒１１を有し、この金属棒に長ぐつ１０の胴部１０ｃを掛け、ノズル１２により長ぐつ内に乾燥エアーを吹き込んでいる。
【考案の開示】
【考案が解決しようとする課題】
【０００３】
しかし、従来の乾燥装置では、上記したように金属棒１１に長ぐつの胴部を斜めに掛けるため、長ぐつの本体が装置の本体部から、例えば、水平方向に５５０mmほど突出し、従って、大きな設置空間が必要であった。また、長ぐつの本体の爪先部分が下方に位置するため、該部分に湿ったエアーが残り易く、このため乾燥が不充分又は乾燥に時間を要する欠点があった。更に、最上位の金属棒から長ぐつを外すためには、更に斜め上方に長ぐつを持ち上げる必要があるため、背の低い作業者にとっては長ぐつの取り外し作業が面倒となることがあった。
【課題を解決するための手段】
【０００４】
本考案は、以上の点を解決するため次の構成を有している。
〈構成〉
本考案に係る長ぐつ乾燥装置は、上下方向に沿って配され、乾燥エアーが供給される本体部と、この本体部に乾燥エアーを供給するエアー供給手段と、上記本体部に上下方向に沿って取付けられて長ぐつが装着される複数の装着部と、上記本体部の各装着部の下方に設けられて装着部に装着された長ぐつに乾燥エアーを吹き込む複数のノズルとを備え、
装着部が、くつ底を上にした逆配置の長ぐつの本体が略水平方向に係入されて支持される開口凹部を有することを特徴とする。
上記装着部は、弾性を有する金属線材を開口凹部に対応させて略Ｕ字状に形成して構成してもよい。
また、上記装着部は、開口凹部の形成された板材から構成してもよい。
【考案の効果】
【０００５】
本考案によれば、装着部の開口凹部に、逆配置の長ぐつの本体を略水平方向に係入させ、支持させるので、長ぐつの取り外し作業が簡単になる上に、本体の爪先部分が略水平に保持されていることから該部分の湿ったエアーを長ぐつの胴部から円滑に外方へ案内することができ、かつ本体部に対する長ぐつの水平方向の突出量も小さくなる。
【考案を実施するための最良の形態】
【０００６】
【実施例】
【０００７】
以下、本考案の実施例を図面を参照して詳細に説明する。
本考案に係る長ぐつ乾燥装置は、図３及び図４に示すように、本体部１を備えている。この本体部はステンレス板から形成され、複数のエアー案内筒１Ａを有している。そして、本体部１は基台２上に上下方向に沿って配置されている。基台２にはその全面に外気を取り込むための吸気口２ａが形成され、その内部には乾燥機３が配設されている。乾燥機３は乾燥エアーを上下へ向けて吹き出す。従って、乾燥エアーは各エアー案内筒１Ａに案内され、供給される。尚、乾燥機３から同時にオゾンを発生させるようにしてもよい。
【０００８】
上記各エアー案内筒１Ａには上下方向に沿って複数の装着部４が取付けられている。また、各エアー案内筒１Ａには各装着部４の下方にそれぞれノズル５が設けられ、各ノズル５は乾燥エアーを上方に吹き出す。
【０００９】
上記各装着部４は、図１及び図２に示すように、ステンレスの線材から成り、略Ｕ字状に湾曲形成され、基部４ａがエアー案内筒１Ａの前壁面に溶接により固定されている。また、これらの装着部４は開口側の先端にカール部４ｂ、４ｂが形成され、これにより長ぐつの傷付きを防止すると共に先端側近傍部４ｃの強度の増加を図っている。そして、各装着部４は水平方向に対し５°〜１０°の角度で上方に除々に伸長するように、上記したように溶接されている。
【００１０】
次に、本考案に係る装着部４の使用態様を説明する。
即ち、図１に示すように、長ぐつ１０のくつ底１０ａが略水平で上方に位置するように長ぐつ１０を持ち、この長ぐつ１０の本体部１０ｂを装着部４のカール部４ｂ、４ｂ間に水平方向に押し込む。これにより、装着部４は長ぐつ１０の本体部１０ｂを先端側近傍部４ｃ、４ｃを中心として弾性的に挟持する。この支持状態で長ぐつ１０の下方へ向かって開口する胴部１０ｃにはノズル５の先端が入り込んでいる。従って、長ぐつ１０内にはノズル５から乾燥エアーが吹き込まれる。
【００１１】
以上説明したように、本考案の装着部４を用いると、その伸長する傾斜角度を５°〜１０°に設定したことから、長ぐつ１０を略水平方向に押し込み、又略水平方向に引き出すことで長ぐつ１０の脱着が可能となり、従って、その取外し作業が簡単である。また、長ぐつ１０はくつ底１０ａが略水平に位置し、エアー案内筒１Ａの壁面に沿って逆方向に配置されるので、本体部１０ｂ内の湿ったエアーは円滑に胴部１０ｃに案内され、排出される。従って、長ぐつ１０内を短時間で確実に乾燥することができる。更に、長ぐつ１０のエアー案内筒１Ａの壁面から爪先までの突出量が約３５０ｍｍと小さいので、装置の設置空間が小さくて済む。
【００１２】
上記装着部４として、金属板等に上記した略Ｕ字状の開口凹所を形成してもよい。
【図面の簡単な説明】
【００１３】
【図１】本考案に係る装着部の使用態様を示す正面図である。
【図２】同装着部の平面図である。
【図３】本考案に係る長ぐつ乾燥装置の斜視図である。
【図４】同装置の要部断面図である。
【図５】従来の長ぐつ乾燥装置の部分図である。
【符号の説明】
【００１４】
１      本体部
１Ａ    エアー案内筒
４      装着部
５      ノズル
【図１】
0003107482.tif 000003
【図２】
0003107482.tif 000004
【図３】
0003107482.tif 000005
【図４】
0003107482.tif 000006
【図５】
0003107482.tif 000007
(57)【要約】      （修正有）【課題】帽子のツバの中に薄いスポンジを入れ、ツバの周囲に針金状のものを入れることにより、使用しないときはたたんで収納することができ、再使用するときは、すぐに元に戻りツバの形も自由に調整することが出来る、たためる帽子の提供。【解決手段】帽子のツバの中に薄いスポンジを入れ、ツバの周囲には針金状のものを入れることにより、簡単にたたむ事ができ、再使用するときもすぐに元に戻る。【選択図】図１
0003107497.tif 000002
【実用新案登録請求の範囲】
【請求項１】
帽子のツバの中に薄いスポンジを入れ、ツバの周囲には針金状のものを入れ、使用しない時は、たたんでポケット等に収納でき、再使用するときはひろげれば、元に戻りツバの形は自由に調整することが出来る。
【考案の詳細な説明】
【技術分野】
【０００１】  本考案は、帽子のツバの中に薄いスポンジを入れ、たたんで収納することが出来、再使用する時は元に戻る帽子に、関するものである。
［背景技術］【０００２】  帽子をかぶって外出した場合に、劇場等で帽子を取らなければならないような場合に、従来は手に持っていなければならなかった。
［考案の開示］
［考案が解決しょうとする課題］【０００３】  帽子を手に持っていなければならないという不便さを、解消するためツバの中にスポンジを入れることにより、たたんでポケット等に収納することが出来、また再使用するときは広げれば元に戻るという便利さである。
［問題を解決するための手段］【０００４】  本考案は、帽子のツバの中にスポンジを入れ、ツバのまわりは針金状のものを入れる事により、簡単にたたんで収納することが出来、再使用するときは元に戻り、またツバの形は自由に調整することが出来る。
［考案の効果］【０００５】  上述の様に、本考案のたためる帽子は、今まで帽子を使用しなかった人達にも帽子の利用が広がり、夏の暑いとき、冬の寒いとき等に帽子を利用することにより、より快適な外出も出来るようになる。
［考案の実施するための最良の形態］【０００６】  帽子がたたんで収納出来ることにより、帽子の利用が広がり、今まで脱いだときの不便さが解消されることにより、快適な外出が出来る。
また、再使用するときには元に戻り、ツバの形を自由に調整することが出来るので、若い人達にも好評であろう。
【図面の簡単な説明】
【０００７】［図１］帽子の上からの図である。
［図２］帽子の横からの図である。
【符号の説明】
【０００８】１  スポンジが中に入る
２  周囲に針金状のものが入る
【図１】
0003107497.tif 000003
【図２】
0003107497.tif 000004
【手続補正書】
【提出日】平成16年8月27日(2004.8.27)
【手続補正１】
【補正対象書類名】実用新案登録請求の範囲
【補正対象項目名】全文
【補正方法】変更
【補正の内容】
［書類名］      実用新案登録請求の範囲
［請求項１］
帽子のツバの中に薄いスポンジを入れ、ツバの周囲には針金状のものを入れ、使用しない時は折りたたんでポケット等に収納でき、再使用するときは広げれば、元の形に戻り、ツバの形は自由に調整することが出来る、折りたたみ自由帽子。
(57)【要約】【課題】  本考案は駐車場に自動車などを停めている際に猫などの動物が自動車などの上によじ登ろうとするときに爪などの鋭利な引っかき傷が出来ることがあり。その対策として従来の自動車などのカバーに、鋭利な引っかき傷から守れるような素材を密着させ問題を解決しようとする特徴をもったカバーである。【解決手段】  本考案は従来の自動車などのカバー１に、鋭利な引っかき傷から守る素材２を密着させ、自動車などの乗り物３を守る事が出来る。【選択図】  図２
0003107495.tif 000002
【実用新案登録請求の範囲】
【請求項１】
従来の自動車などのカバーに、猫の爪など鋭利な引っかき傷から守る素材を密着させ、自動車などに猫の爪など鋭利な引っかき傷等を防止する。特徴をもったカバーを提供する。
【考案の詳細な説明】
【考案の詳細な説明】
本考案は駐車場に自動車などを停めている際に猫などの動物が自動車などの上によじ登ろうとするときに爪などの鋭利な引っかき傷が出来ることがある。その対策として従来の自動車などのカバーに、鋭利な引っかき傷から守れるような素材を密着させ問題を解決しようとするものである。
【図面の簡単な説明】
【図１】  本考案で、鋭利な引っかき傷から守る素材を密着させた従来の自動車などのカバーを装着させた斜視図である。
【図２】  本考案の断面図である。
【符号の説明】
１  従来の自動車などのカバー
２  鋭利な引っかき傷から守る素材
３  自動車などの乗り物
【図１】
0003107495.tif 000003
【図２】
0003107495.tif 000004
【手続補正書】
【提出日】平成16年7月15日(2004.7.15)
【手続補正１】
【補正対象書類名】実用新案登録請求の範囲
【補正対象項目名】全文
【補正方法】変更
【補正の内容】
【実用新案登録請求の範囲】
【請求項１】
従来の自動車などのカバーに、猫の爪など鋭利な引っかき傷から守る素材を密着させ、自動車などに猫の爪など鋭利な引っかき傷等を防止する特徴をもったカバー。
【手続補正書】
【提出日】平成16年10月4日(2004.10.4)
【手続補正１】
【補正対象書類名】実用新案登録請求の範囲
【補正対象項目名】全文
【補正方法】変更
【補正の内容】
【実用新案登録請求の範囲】
【請求項１】
自動車のカバーに、猫の爪など鋭利な引っかき傷から守る素材を密着させ、自動車に猫の爪など鋭利な引っかき傷等を防止する特徴をもったカバー。
(57)【要約】      （修正有）【課題】外反母指の予防、矯正用具を提供する。【解決手段】突起物１を第１指第２指で挟み、合成ゴム製の球形２の本体をおもりにして足指を屈伸させる。足指及び足裏の筋肉を鍛えることによって、原因のアーチを修復させる。【選択図】図４
0003107496.tif 000002
【実用新案登録請求の範囲】
【請求項１】
母指と第２指の間に挟み親指の付け根及び足裏を鍛える外反母指予防、矯正用具
【請求項２】
請求項１において柔軟性のあるプラスチック及び木材を材料とする矯正用具
【請求項３】
本体に足裏つぼ刺激のための突起、及び多面加工を施した請求項１記載の矯正用具
【考案の詳細な説明】
【技術分野】
【０００１】この実用新案は外反毋指矯正用具に関する。
【背景技術】
【０００２】従来の技術では、突出した骨を矯正するため外面から圧迫し矯正する方式が取られていた。
【考案の開示】
【考案が解決しようとする課題】
【０００３】外反毋指とは、足の親指付け根の親指を支える骨が横に突出。痛みを伴う。
現代の女性に多くみられる傷病である。
足は２６個の骨があり、靭帯や筋肉でつながれている。
足は歩行するために３つのアーチで形成。その１つが指の付け根に沿ったアーチである。
じん帯や筋肉が緩んでこのアーチが崩れると外反母指となる。
原因としては靴等の外部の圧迫、及び、足指付け根、足裏の靭帯や筋肉の衰えによる。
【課題を解決するための手段】
【０００４】外反母指の矯正には、アーチを形成する筋肉を鍛える方法が考えられる。
外反母指矯正のための足裏の筋肉増強法として、タオルを足指で手繰り寄せるという方法がある。しかし、衛生面の問題もあり、タオルによるより同様の効果を得、楽しく行えるように用具を考案した。本考案を用い、足指の屈伸運動を促進する。
【考案を実施するための最良の形態】
【０００５】図４の装着した時の斜視図を用いて説明する。足の親指と人さし指の間の付け根に図１の１を挟む。
【実施例１】
【０００６】１を第１指、第２指の付け根で挟み、２を足指全体で上げ下ろしする。
【実施例２】
【０００７】床に置き、足裏にあて転がす。足の甲部が盛り上がるように刺激する。
【考案の効果】
【０００８】外反母指に悩む女性に試してもらった所、痛みの軽減に効果があった。
産業上これまでに見たことのない形状及び、使用法と効果で目新しい。
外反毋指で悩む女性は多く、症状として痛みが伴うため、痛みを緩和でき、足の機能を取り戻す意味で社会貢献度は高い。
【図面の簡単な説明】
【０００９】
【図１】本考案を示した平面図である。
【図２】本考案を示した側面図である。
【図３】本考案を示した断面図である。
【図４】本考案を装着した時の斜視図である。
【符号の説明】
【００１０】１  足の親指と人さし指の付け根で挟む突起部
２  足裏の刺激、及び重りの役割を果す本体
【図１】
0003107496.tif 000003
【図２】
0003107496.tif 000004
【図３】
0003107496.tif 000005
【図４】
0003107496.tif 000006
【手続補正書】
【提出日】平成16年9月1日(2004.9.1)
【手続補正１】
【補正対象書類名】実用新案登録請求の範囲
【補正対象項目名】全文
【補正方法】変更
【補正の内容】
【実用新案登録請求の範囲】
【請求項１】
第１指と第２指の間に挟む柔軟性のある突起と、合成ゴム製の容易に転がらないように表面を多面加工した球形の形状を有する外反母指予防、矯正用具
【手続補正２】
【補正対象書類名】明細書
【補正対象項目名】全文
【補正方法】変更
【補正の内容】
【考案の詳細な説明】
【技術分野】
【０００１】この考案は外反母指予防と矯正する用具に関するものである。
【背景技術】
【０００２】従来の技術では、突出した骨を矯正するためサポーターやパットなどにより、外面から圧迫し矯正する方式が取られていた。
【考案の開示】
【考案が解決しようとする課題】
【０００３】外反母指とは、足の親指付け根の親指を支える骨が横に突出。痛みを伴う。
従来のサポーターやパットによる矯正では、一時的な痛みの緩和はできるが、使用をやめると足の形や痛みが元に戻ってしまっていた。
【課題を解決するための手段】
【０００４】足は２６個の骨があり、靱帯や筋肉でつながれている。
足は歩行するために３つのアーチで形成されている。その１つが指の付け根に沿ったアーチである。じん帯や筋肉が緩んでこのアーチが崩れると外反母指となる。
原因は靴等の外部の圧迫、及び、足指付け根、足裏の筋肉の衰えである。
この考案は突起物を第１指第２指で挟み、合成ゴム製の球形の本体をおもりにして足指を屈伸させる。足指及び足裏の筋肉を鍛えることによって、原因のアーチを修復させる。また、本考案を下に置き、足のアーチを盛り上げるように下から圧迫すると、５分程で痛みが緩和する。また、圧迫する時に容易に転がらないように、表面を小さな３角形で切り取った多面加工を施し、突起部は転がしても邪魔にならない柔軟性を持つよう工夫した。
【考案を実施するための最良の形態】
【０００５】図４の装着した時の斜視図を用いて説明する。足の第１指と第２指の間に図４の１を挟む。２を足指全体で上げ下ろしする。【０００６】本考案を床に置き、足の甲部が盛り上がるように足裏にあてて圧迫する。
【考案の効果】
【０００７】  外反母指に悩む女性に試してもらった所、足裏にあてて上から圧迫する方法で、５分程  で痛みが軽減した。
本考案を利用して足指の屈伸を毎日２０回を２週間継続した所、足裏の筋肉が盛り上が  り、尽痛が治まった。
【図面の簡単な説明】
【０００８】
【図１】      平面図である。
【図２】      側面図である。
【図３】      足裏を圧迫する時の側面図である。
【図４】      装着し、屈伸する時の斜視図である。
【符号の説明】
【０００９】      １  足の第１指と第２指の間で挟むための、柔軟性のある突起部
２  足裏の刺激、及びおもりの役割を果す合成ゴム製の弾力性のある本体
【手続補正３】
【補正対象書類名】図面
【補正対象項目名】全図
【補正方法】変更
【補正の内容】
【図１】
0003107496.tif 000007
【図２】
0003107496.tif 000008
【図３】
0003107496.tif 000009
【図４】
0003107496.tif 000010
(57)【要約】      （修正有）【課題】蝿や、其の他の害虫などが如何なるところにいても、潰さずに捕獲できる様にする。【解決手段】継手５の部分が自在に動くので天井に止まっている蝿なども簡単に捕獲できるものであって、更に柄６の部分は長さの変えられる伸縮式にすることも出来、網目の内側粘着部分は紙などに粘着剤を塗布して交換方式にもできるものである。【選択図】図１
0003107494.tif 000002
【実用新案登録請求の範囲】
【請求項１】
円錐形、半球形、四角錐形に見られる膨らみに多数の小さな空気孔を開けて内側に粘着剤を付着させた、蝿取り器。
【考案の詳細な説明】
【考案の詳細な説明】
【考案が階決しようとする課題】
【０００１】  従来の平面的な蝿叩きでは、やわらかな食物や布地及び叩いた時に汚れてはならない品物に、蝿などがとまった時、叩くことが出来なかった。
【課題を階決するための手段】
【０００２】  上記目的を達成するために、蝿取りを円錐形や半球形及び四角錐形などの膨らみに、１例として網状の多数の小さな空気孔を利用して内側に粘着剤を塗布する事により簡単に解決できるものである。
【考案の効果】
【０００３】  蝿取り器は上記の様であるから止まっている蝿や、其の他の害虫にかぶせるだけで潰さずに捕獲できるものである。
【図面の簡単な説明】
【図１】蝿取り器の斜視図である。
【図２】柄の部分を切断した平面図である。
【図３】柄の部分を切断した側面図である。
【符号の説明】
１  蝿取り器    ２  網    ３  桟    ４  縁    ５  継手    ６  柄    ７  把手
【図１】
0003107494.tif 000003
【図２】
0003107494.tif 000004
【図３】
0003107494.tif 000005
(57)【要約】【課題】本考案は鏡と物差機能を組合せ、文書の訂正作業をより簡便にする。【解決手段】本考案は、押印補助具本体１に鏡２と定規３を設けたことを特徴とし、文書と印鑑の隙間に本体１を出し入れすることにより、訂正印印面の傾きを補正可能とし、且つ、訂正線を引くための定規３を加えることによって、あらためて定規を用意する手間が省け、重要文書等の訂正作業をより簡便にする。【選択図】図１
0003107499.tif 000002
【実用新案登録請求の範囲】
【請求項１】
鏡、又は反射機能を有する素材に、物差機能を設けた押印補助具。
【請求項２】
孔を設けた請求項１の押印補助具。
【請求項３】
印肉を設けた請求項１または請求項２の押印補助具。
【考案の詳細な説明】
【技術分野】
【０００１】
本考案は、鏡に物差機能を設けた押印補助具に関するものである。
【背景技術】
【０００２】
文書上の文字を訂正する場合、定規と印鑑を用意し、訂正線をまっすぐに引き、訂正印も出来るだけ傾きなく押す必要があった。いかに線を真っ直ぐに引けるか、傾きなく押印できるかが、お詫びの意思を明確にする上で見逃せないポイントであった。
【考案の開示】
【考案が解決しようとする課題】
【０００３】
傾いた印影は一般的に失礼とされる。押印が、公的な制度にまで組み込まれてから随分経つが、この傾き避ける装置の認知度、普及度は十分ではなかった。コストを抑えつつ、新たな機能を加えることにより利便性を高めたい。
【課題を解決するための手段】
【０００４】
鏡、又は反射機能を有する素材に、物差機能を設けた押印補助具を用いることにより問題点を解決している。紙と印鑑との間に、この装置をすべり込ませつつ、印の傾きを補正する。
【０００５】
利用者の求めに応じて、指の引っ掛かりをよくすための穴や、筆記具やカーネーションを固定しておくための穴、印鑑を立てかけておくための凹凸、さらには脚、クリップ、吸盤、磁石、印肉などを設けたり、印鑑ケースや文具入れに含めることも出来る。
【０００６】
センチ、ミリ表記に限らず、角度や度量衡による目盛を、複数の辺に表記することにより利便性が一層向上する。また、文字や図形を記入すれば低コストな販促品となる。
【考案の効果】
【０００７】
書き損じた文字を訂正する場合、訂正線と訂正印が必要になるが、この押印ガイドにはあらかじめ、訂正線が引ける定規機能が備わるため、あらためて定規を用意する必要がない。加えて、本体に指を引っ掛けることが出来る凸凹や穴を設けることにより指一本で容易に、左右に移動させることを可能とし、これによって印鑑を持つ手の安定度が高まり、より傾きの少ない印影が押せる。
【考案を実施するための最良の形態】
【０００８】
訂正箇所のそばに本体を寄せ、訂正線を引く。その後、印を押そうとする箇所の真上に印鑑を持ってくる。本体は印鑑を持つ手と反対の手で操作する。印鑑と紙の間に本体を滑り込ませ、鏡に映る印影が真っ直ぐであるかどうかチェックする。滑り込ませたり、引き出したりしながら印面の傾きを補正する。この時、印鑑を上下左右に動かす必要はない。例えば、右手で印鑑を持ち、左手の人差し指で本体を左右に動かすとする。この場合、左手の残りの指で紙を押さえていられるため、紙の浮きやずれを防ぐことが出来る。鏡に映る印面の傾きが補正されたところで、本体に掛かる人差し指を引っ込め、印鑑を真下におろす。
【図面の簡単な説明】
【０００９】
【図１】本考案の定規付き押印補助具の平面図である。
【図２】孔を設けた定規付き押印補助具の平面図である。
【符号の説明】
【００１０】
１    本体
２    鏡
３    定規
４    孔
【図１】
0003107499.tif 000003
【図２】
0003107499.tif 000004
【手続補正書】
【提出日】平成16年11月1日(2004.11.1)
【手続補正１】
【補正対象書類名】実用新案登録請求の範囲
【補正対象項目名】全文
【補正方法】変更
【補正の内容】
【実用新案登録請求の範囲】
【請求項１】
本体に目盛りと鏡とを設けた略長方形状の押印補助具であって、
前記本体は、少なくとも一辺に目盛りが設けられており、かつ、前記本体の表面の一部にに鏡が設けられ、
印を押そうとする紙の箇所の真上に印鑑を持ってきて、前記印鑑と紙との間に本体を滑り込ませ、前記鏡に映る印影を確認することができるようにした押印補助具。
【請求項２】
前記本体に、指を引っ掛けることが出来る凹凸あるいは穴を設け、
前記本体を左右に容易に移動させることができるようにしたことを特徴とする、請求項１に記載の押印補助具。
(57)【要約】      （修正有）【課題】ボルト、ナット、座金、ボール、リング等の部品を整理した状態で収納し得るようにした収納容器を提供する。【解決手段】上端を開口すると共に底部７に磁石を備えさせた収納容器１において、内部を隔壁３により複数の収納部５に区画した収納容器。使用者は、所望する基準により部品を分類した状態で、部品をそれぞれ所定の収納部に各別に収納することができる。即ち、部品をその取付位置別、種類別、寸法別、用途別、機能別等に分類した状態で、それぞれ所定の収納部に各別に収納することができる。【選択図】図１
0003107410.tif 000002
【実用新案登録請求の範囲】
【請求項１】
上端を開口すると共に底部に磁石を備えさせた収納容器において、内部を隔壁により複数の収納部に区画したことを特徴とする収納容器。
【考案の詳細な説明】
【技術分野】
【０００１】
本考案は、ボルト、ナット、座金、ボール、リング等の部品を収納するための収納容器に関するものであり、例えば、自動車の修理等の際に、自動車から一旦取り外した部品を再び自動車に取り付けるまでの間、都合よく整理した状態で収納するようにした収納容器に係るものである。
【背景技術】
【０００２】
特開平１０−２４９７８号公報は、上端を開口した箱状体の底部に磁石を取り付けてなる収納容器（以下「従来の収納容器」という。）を開示している。
【０００３】
従来の収納容器においては、容器底部の上面全体にシート状磁石材料が取り付けられている。
【特許文献１】特開平１０−２４９７８号公報
【考案の開示】
【考案が解決しようとする課題】
【０００４】
上記従来の収納容器においては、箱状体内に収納された部品は、箱状体底部の磁石により吸着されるため、箱状体から脱落するおそれはない。
【０００５】
しかるに、上記従来の収納容器における箱状体は、内部が全く区画されていないため、ボルト、ナット、座金、ボール、リング等の部品を使用者の所望の基準によって分類した状態で該箱状体内に収納することが困難である。即ち、これらの部品が該箱状体内で混ざり合うおそれがある。従って、例えば、自動車の修理等において、自動車から一旦取り外して収納容器内に収納した部品を再び該自動車に取り付ける時に、各取付位置に再び取り付けるべき元の所定の部品を探す作業が面倒である。このことは、作業能率を低下させるだけでなく、部品取付の過誤を招来するおそれもある。
【０００６】
本考案は、上記従来の収納容器における上述の如き問題を解決し、ボルト、ナット、座金、ボール、リング等の部品を整理した状態で収納し得るようにした収納容器を提供しようとしてなされたものである。
【課題を解決するための手段】
【０００７】
上記課題を解決するために、本考案は、上端を開口すると共に底部に磁石を備えさせた収納容器において、内部を隔壁により複数の収納部に区画したことを特徴とする収納容器を提供する。
【考案の効果】
【０００８】
本考案による収納容器においては、使用者は、自己の所望する基準によって部品を分類した状態で、該部品をそれぞれ所定の収納部に各別に収納することができる。
【０００９】
例えば、使用者は、部品をその取付位置別、種類別、寸法別、用途別、機能別等に分類した状態で、それぞれ所定の収納部に各別に収納することができる。
【００１０】
このように、部品を分類した状態でそれぞれ所定の収納部に各別に収納したときには、部品を収納容器から取り出す際に、所望の部品を容易に見つけることができる。
【００１１】
なお、収納容器の各収納部内に収納された部品は、底部の磁石に吸着されるため、これらの部品がその収納部から脱出するおそれはない。
【考案を実施するための最良の形態】
【００１２】
符号１に示すものは本考案による収納容器である。収納容器１は、上端を開口すると共に内部を隔壁３、３・・・により複数の収納部５、５・・・に区画する。
【００１３】
収納容器１は、その材質、形状、寸法、収納部５の数等の如何を問わない。
【００１４】
図示の事例においては、収納容器１は、６個の収納部５を備えた平面略長方形状の浅い箱状体をなしており、金属により一体的に形成されている。
【００１５】
収納容器１の底部７に磁石（永久磁石）９を備えさせる。
【００１６】
図示の事例においては、例えばシート状の磁石９が収納容器１における各収納部５の底部７ａ毎に取り付けられている。
【００１７】
なお、複数個の収納部５の底部７ａに跨って例えばシート状の磁石９を取り付けてもよいし、収納容器１の底部７全体に１枚の例えばシート状の磁石９を取り付けても差し支えない。
【００１８】
図示の事例においては、磁石９は、収納容器１の底部７ないし各収納部５の底部７ａの下面に取り付けられているが、該底部７（７ａ）の上面に取り付けてもよい。
【００１９】
なお、磁石９により該底部７（７ａ）自体を形成させても差し支えない。
【００２０】
また、磁石９は、収納容器１の底部７ないし各収納部５の底部７ａのみならず、隔壁３に備えさせても差し支えない。
【００２１】
図２においては、一つの収納部５内にナット１１が収納され、別の収納部５内にボルト１３が収納されている。
【図面の簡単な説明】
【００２２】
【図１】本考案による収納容器の一例を示す斜視図である。
【図２】同上収納容器の断面図である。
【符号の説明】
【００２３】
１  収納容器
３  隔壁
５  収納部
７  底部
７ａ  収納部の底部
９  磁石
１１  ナット
１３  ボルト
【図１】
0003107410.tif 000003
【図２】
0003107410.tif 000004
(57)【要約】      （修正有）【課題】本考案はギターヘッドのそり、ゆがみを無くし弦のたわみを無くし音響を改良する。【解決手段】本考案はガットギターのヘッド１の上端へ上端寸切ボルト７を設け、上部糸巻４と中間糸巻５との間に第一中間寸切ボルト８を設け、中間糸巻５と下部糸巻６との間の第二中間寸切ボルト９を設け、ヘッド１の下端へ下端寸切ボルト１０を設け、各寸切ボルト７，８，９，１０の両端部及びペッグ溝部分にナットをスプリングワッシャー及び平ワッシャーを介して設け締め付けることにより音響を改良する。【選択図】図２
0003107408.tif 000002
【実用新案登録請求の範囲】
【請求項１】
ガットギターのヘッド（弦蔵）部上端と各糸巻中間部及びヘッド下端部に寸切ボルトを貫通させてボルト両端部とペッグ溝部分にナットをワッシャー、スプリングワッシャーを介して設け、ナットを締め付けることにより音響を改良する装置
【請求項２】
フォークギターのグローバータイプ糸巻のヘッドに設けた実用新案登録請求の範囲第１項記載の装置
【考案の詳細な説明】
【技術分野】
【０００１】  本考案はヘッド（弦蔵）部分に寸切ボルトを貫通させてナットを設けた、ギターに関するものである。
【背景技術】
【０００２】  ギターヘッドは弦の張力により変形し、そり、ゆがみ、ねじれの為に弦がたわむため材質を高価な硬質の比較的変形の少ない木材にて成形している
【考案の開示】
【考案が解決しようとす課題】
【０００３】  ギターヘッドの変形の少ない木材での成形は経済的負担も大きく、そり、ゆがみを除く為にも長時間の手間をかけている。従って寸切ボルトを貫通させ強化することによりヘッドのそり、ゆがみを無くし、安価な軟材の合板の組み合わせ材等でも弦のたわみを解決し良質の音響を得ようとするものである。
【課題を解決するための手段】
【０００４】  本考案は、ギターヘッド（弦蔵）部上端部、上部糸巻と中間糸巻との間、中間糸巻と下部糸巻との間、ヘッド下端部へ寸切ボルトを貫通させボルト両端部及びペッグ部溝部分にナットを平ワッシャー及びスプリングワッシャーを介して設け、ナットにて締め付け調整することによりヘッドの問題点を解決している。
【考案の効果】
【０００５】  上述のように、本考案のギター音響改良調整装置はギターヘッドのそり、ゆがみを除去し弦のたわみを無くし良質な音響を得られるので安価な工場大量生産品のギターでも手造りギター工芸品の調整品に劣らないぐらいの音響に改良される。
【考案の実施するための最良の形態】
【０００６】  ヘッド（弦蔵）上端部は寸切ボルトのボルト両端部のナットにより圧縮される。上部糸巻と中間糸巻との間と中間糸巻と下部糸巻との間は寸切ボルトのボルト両端部のナットにより圧縮されると共にペッグ部溝部内側より外側に向けてナットにて圧縮される。ヘッド下端部は寸切ボルトのボルト両端のナットにより圧縮される。以上のごとくギターヘッドは内側及び外側からの圧縮力により、そり、ゆがみを矯正されもって弦のたわみを無くし良質な音響を得られる。
【実施例１】
【０００７】  以下、添付図面に従って一実施例を説明する。１はガットギターのヘッド（弦蔵）、２は糸巻（弦巻機）、３はペッグで、４は上部糸巻、５は中間糸巻、６は下部糸巻である。７はヘッド１の上端に貫通している上端寸切ボルトであり、８は上部糸巻４と中間糸巻５との間の第一中間寸切ボルトで、９は中間糸巻５と下部糸巻６との間の第二中間ボルトであり、１０はヘッド１の下端に貫通している下端寸切ボルトである。各寸切ボルト７，８，９，１０の両端部及びペッグ３部溝部分にナット１１をスプリングワッシャー１２及び平ワッシャー１３を介して設け、締めつけることによりヘッド１は外側及び内側から圧縮され、そりやゆがみが減少する。
【実施例２】
【０００８】  １４はフォークギターのヘッドで、ペッグ溝の無いものであるが、上端寸切ボルト７、第一中間寸切ボルト８、第二中間寸切ボルト９、下端寸切ボルト１０を貫通させ、各寸切ボルト７，８，９，１０の両端部にナット１１をスプリングワッシャー１２及び平ワッシャー１３を介して締め付ける装置である。
【図面の簡単な説明】
【０００９】
【図１】ガットギターの正面図
【図２】本考案の音響改良装置のガットギターへの実施例を示す正面図である。
【図３】図２の第一中間寸切ボルト取付部断面図である。
【図４】本考案のフォークギターへの実施例を示す背面図である。
【符号の説明】
【００１０】  １  ガットギターのヘッド（弦蔵）
２  糸巻（弦巻機）
３  ペッグ
４  上部糸巻
５  中間糸巻
６  下部糸巻
７  上端寸切ボルト
８  第一中間寸切ボルト
９  第二中間寸切ボルト
１０  下端寸切ボルト
１１  ナット
１２  スプリングワッシャー
１３  平ワッシャー
１４  フォークギターのヘッド
１５  グローバータイプ糸巻
【図１】
0003107408.tif 000003
【図２】
0003107408.tif 000004
【図３】
0003107408.tif 000005
【図４】
0003107408.tif 000006
(57)【要約】【課題】従来のキャンディのように様々な色がついた飴を組み合わせることによって絵柄を作るのでは、写真のような微細な表現やイラストなどの正確な形状を表現することは困難である。【解決手段】本考案は、可食シートに可食インクで絵柄を印刷し、その可食シートを透明または半透明な飴に挟みこむものである。【選択図】  図１
0003107407.tif 000002
【実用新案登録請求の範囲】
【請求項１】
可食シートに可食インクで絵柄を印刷し、その可食シートを透明または半透明な飴で挟みこんだキャンディ。
【考案の詳細な説明】
【技術分野】
【０００１】本考案は写真やイラストなどの絵柄が印刷された可食シートを含むキャンディに関する。
【背景技術】
【０００２】従来のキャンディに絵柄をつける場合、金太郎飴のように様々な色がついた飴を組み合わせることによって絵柄を作っていた。
【考案の開示】
【考案が解決しようとする課題】
【０００３】従来のキャンディのように様々な色がついた飴を組み合わせることによって絵柄を作るのでは、写真のような微細な表現やイラストなどの正確な形状を表現することは困難である。
【課題を解決するための手段】
【０００４】可食シートに可食インクで絵柄を印刷し、その可食シートを透明または半透明な飴に挟みこむものである。
【考案の効果】
【０００５】可食シートに可食インクで絵柄を印刷するので、写真のような微細な表現やイラストなどの正確な形状を表現したキャンディの製造が可能となる。
【考案を実施するための最良の形態】
【０００６】キャンディ型の中に透明または半透明な飴を流し込み、その上に可食インクで印刷された可食シートを乗せ、さらにその上から透明または半透明な飴を流し込んで冷却させるもの。キャンディの内側に写真などの絵柄が見えるものとなる。
【実施例】
【０００７】キャンディ成形時に棒を挟みこむことにより、絵柄のついた棒付きキャンディとなる。【０００８】可食シートに印刷する絵柄は、動物の写真、スポーツ選手の写真、名前や会社名、会社やチームのロゴ、キャラクターなどのイラストなどとすることができる。
【産業上の利用可能性】
【０００９】観光名所の写真の場合には土産物店の商品として、動物や魚の写真の場合には動物園や水族館の商品として、会社の名前やロゴの場合にはノベルティ品として、記念写真の場合には記念品のキャンディとして販売できる。
【図面の簡単な説明】
【００１０】
【図１】この考案に係る棒付きキャンディの正面図である。
【図２】この考案に係る棒付きキャンディの断面図である。
【符号の説明】
【００１１】１  透明または半透明の飴
２  可食インクで絵柄が印刷された可食シート
３  棒
【図１】
0003107407.tif 000003
【図２】
0003107407.tif 000004
(57)【要約】      （修正有）【課題】水はけが良く目詰まりしにくく、かつ滑り止め良好な格子状の線刻を施したグレーチングのメインバーを提供する。【解決手段】メインバーの線刻の形状を凹状とし、かつ、その幅を拡げたことを特徴とする。【選択図】図１
0003107414.tif 000002
【実用新案登録請求の範囲】
【請求項１】
グレーチングのメインバーの目地面に刻まれるローレット目において、その線刻の形状を凹状とし、かつ、その幅を拡げたことを特徴とするグレーチングのメインバー。
【考案の詳細な説明】
【技術分野】
【０００１】
本考案は、溝蓋などに使用されるグレーチングのメインバーに関するもので、特に、建物や公園などに付属して設けられる溝などに使用され、水はけがよく目詰まりしにくく、かつ、滑り止め良好な格子状の線刻を施したグレーチングのメインバーに関するものである。
【背景技術】
【０００２】
従来、溝蓋などには、断面形状がフラット形、Ｉ字形、Ｔ字形などの形状をなすメインバー、すなわち、フラットバー、Ｉバー、Ｔバーなどを所要間隔に間隔保持材を用い並列に組み立て、メインバーの両端面に側板として短冊状の副部材を用い、溶接するなどして固定したグレーチングが用いられている。
そして、このグレーチングのメインバーにおいては、その目地面に、滑り止めを目的としたローレット加工を施していた。例えば、ローラタイプの金型を用いて格子状の線刻を施していた。
【考案の開示】
【考案が解決しようとする課題】
【０００３】
解決しようとする問題点は、従来のローレット加工を施したグレーチングのメインバーにおいては、格子状に施された線刻の彫り部がＶ字形で、かつ、浅いため滑り止め効果が弱く、また、線刻部に泥などが溜まりやすいなどの欠点があった。
【課題を解決するための手段】
【０００４】
本考案は、前記従来のローレット加工に準じて線刻するのであるが、線刻の形状を凹状とし、また、その幅を大きくし、かつ、深くすることにより、刻印される線刻の幅が拡がり、かつ、深く刻まれるようにしたものである。
すなわち、本考案は、グレーチングのメインバーの目地面に刻まれるローレット目において、その線刻の形状を凹状とし、かつ、その幅を拡げたことを特徴とするグレーチングのメインバーである。
【考案の効果】
【０００５】
本考案によれば、メインバーに施したローレット目は、幅が広く深い溝を持つ格子状の線刻となるため、水が流れ易く泥などが溜まりにくい。
【考案を実施するための最良の形態】
【０００６】
本考案のグレーチングのメインバーの材質としては、特に限定されるものではないが、ステンレスを用いるのが好ましい。
本考案のローレット加工に当たっては、ローラタイプや長方形のプレス用金型を用いて線刻する。
【０００７】
この際、格子状の線刻の傾きは特に限定されるものではないが、約４５0 および約３０0 を用いるのが望ましい。
また、凹状に形成される線刻の幅および深さの程度は、特定の範囲にあることを必要としているものではなく、所望に応じて適宜に選定でき、それに応じた前記金型を用いることにより容易に調整することができる。
〔実施例１〕
【０００８】
ステンレス製グレーチングのフラットバーに、約２ｍｍ幅で４５0 の金型を用い線刻すると、図１に示すグレーチングのフラットバー１が得られる。図１において、２は格子状に線刻された幅約２ｍｍの溝である。
〔実施例２〕
【０００９】
ステンレス製グレーチングのＩバーに、約２ｍｍ幅で３０0 の金型を用い線刻すると、図２に示すグレーチングのＩバー３が得られる。図２において、４は格子状に線刻された幅約２ｍｍの溝である。
〔実施例３〕
【００１０】
ステンレス製グレーチングのＴバーに、約２ｍｍ幅で４５0 の金型を用い線刻すると、図３に示すグレーチングのＴバー５が得られる。図３において、６は格子状に線刻された幅約２ｍｍの溝である。
【産業上の利用可能性】
【００１１】
本考案のグレーチングのメインバーは、幅の広い溝が格子状に形成されているので、水が流れ易く泥などが溜まりにくく、また、制作が容易であるから、きわめて実用性が高い。
【図面の簡単な説明】
【００１２】
【図１】実施例１のグレーチングのフラットバーの斜視図である。
【図２】実施例２のグレーチングのＩバーの斜視図である。
【図３】実施例３のグレーチングのＴバーの斜視図である。
【符号の説明】
【００１３】
１  グレーチングのフラットバー
２  溝
３  グレーチングのＩバー
４  溝
５  グレーチングのＴバー
６  溝
【図１】
0003107414.tif 000003
【図２】
0003107414.tif 000004
【図３】
0003107414.tif 000005
(57)【要約】【課題】  ゲートボール競技に使用するゼッケンにおいてゼッケン板が落下しにくく、かつゼッケン板の枚数を少なくする。【解決手段】  安全ピン（３）を取り付けたクリップ（１）にベルト（５）を固着する。このベルト（５）の両端にスナップボタンの構成片（６）、（７）を設ける。ゼッケン板（９）は、上記ベルト（５）を挿通する挿通孔（１０）を有し、表面と裏面に１と２、３と４、５と６、７と８又は９と１０の数字（１１）が表示されている。上記ゼッケン板（９）の表裏の数字を選んでベルト（５）を挿通孔（１０）に挿通させることにより、ゼッケン板は番号を簡単に変えることができ、また落下しないように取り付けできる。【選択図】      図１
0003107413.tif 000002
【実用新案登録請求の範囲】
【請求項１】
安全ピンを取り付けたクリップにベルトを固着し、該ベルトの両端にベルトを環状に保持する止着具を設け、該ベルトが挿通する挿通孔を有するゼッケン板を形成し、該ゼッケン板の表裏に、１と２、３と４、５と６、７と８又は９と１０の数字を表示したゲートボール用ゼッケン。
【請求項２】
上記止着具の外方のベルトには、手掛部が形成されている請求項１に記載のゲートボール用ゼッケン。
【請求項３】
上記ベルトは、透明性を有する軟質プラスチック材料で形成されている請求項１または２に記載のゲートボール用ゼッケン。
【請求項４】
上記止着具はスナップボタンである請求項１または２に記載のゲートボール用ゼッケン。
【考案の詳細な説明】
【技術分野】
【０００１】
本考案は、ゲートボール競技において使用するゲートボール用ゼッケンに関する。
【背景技術】
【０００２】
ゲートボール競技は、競技の開始の際に先攻、後攻に応じてゼッケン番号が奇数番号か偶数番号に定められるので、各競技者に装着されるゼッケンは、その都度番号を変更できるように設けられているものが多い。（例えば、特許文献１参照）。そのような変更方法として、１枚の布片を反転する構成も知られているが、構成が複雑である。そのため、簡易な方法として安全ピンに面状ファスナーの一方の部片を取り付けておき、該面状ファスナーに係合する他方の面状ファスナーの部片をゼッケン板の裏面に設けて着脱する構成が広く用いられている。
【０００３】
しかし、上述のように安全ピンと面状ファスナーを用いたゼッケンは、番号を交換する度に、面状ファスナーが係脱されるので、該面状ファスナーの係止力が次第に弱くなり、腕等が触れると簡単にゼッケン板がとれてしまうことがあった。また、ゼッケン板の裏面に面状ファスナーの一方の部片を固着するから、ゼッケン板は片面しか利用することができず、そのため競技者は多数のゼッケン板を用意しなければならなかった。
【特許文献１】実開昭６３−１２８５８１号公報（第１図）
【考案の開示】
【考案が解決しようとする課題】
【０００４】
本考案の解決課題は、ゲートボール競技において使用するゼッケンにおいて、ゼッケン板が落下しにくく、かつ簡単に番号を変更することができ、ゼッケン板の枚数も少なくすることができるようにしたゲートボール用ゼッケンを提供することである。
【課題を解決するための手段】
【０００５】
本考案は、安全ピンを取り付けたクリップにベルトを固着し、該ベルトの両端にベルトを環状に保持する止着具を設け、該ベルトが挿通する挿通孔を有するゼッケン板を形成し、該ゼッケン板の表裏に、１と２、３と４、５と６、７と８又は９と１０の数字を表示したゲートボール用ゼッケンが提供され、上記課題が解決される。
【考案の効果】
【０００６】
本考案は上記のように構成され、安全ピンを取り付けたクリップにベルトを固着し、該ベルトの両端にベルトを環状に保持する止着具を設け、該ベルトが挿通する挿通孔を有するゼッケン板を形成し、該ゼッケン板の表裏に、１と２、３と４、５と６、７と８又は９と１０の数字を表示したので、上記ゼッケンは安全ピン若しくはクリップにより競技者の着衣の適所に取り付けでき、競技に際して自分の番号が奇数か偶数に決まったら上記止着具を外してベルトからゼッケン板を抜き取り、所定の数字が表側になるように反転して上記挿通孔にベルトを挿通し、上記止着具を係合させれば、容易に番号を変更することができ、また、ゼッケン板は確実に支持され、簡単に落下することもない。その上、ゼッケン
板は表裏を利用することができるから、少なくとも５枚用意すればよく、経済的である。
【考案を実施するための最良の形態】
【０００７】
図１は、本考案の一実施例を示し、クリップ（１）の挟持片（２）側には、安全ピン（３）を取り付けてあり、本体（４）側にはベルト（５）が固着されている。該ベルト（５）は、ゼッケン番号を見やすくするよう好ましくは透明性を有する軟質プラスチック材料で作られているが、皮革その他適宜の材料で作ることもできる。
【０００８】
上記ベルト（５）の両端には、図２に示すようにスナップボタンの構成片（６）、（７）を設けてあり、該スナップボタンの構成片（６）、（７）を係合することにより上記ベルト（５）は環状に保持される。なお、スナップボタンに変えて尾錠その他適宜の止着具を設けてもよい。また、一方のスナップボタンの構成片の外方に手掛部（８）となるような延出部を形成しておくと、係脱操作が容易となる。
【０００９】
ゼッケン板（９）は、図３に示すように円形に形成され、上部に上記ベルト（５）を挿通させることができる挿通孔（１０）を有し、表裏に、１と２、３と４、５と６、７と８又は９と１０の数字（１１）を印刷等により表示した少なくとも５枚のゼッケン板が用意される。
【００１０】
而して、上記安全ピン（３）若しくはクリップ（１）を利用して競技者は本考案のゼッケンを着衣の適宜部位に装着し、競技の開始に際して自分の番号が決まったら、上記ベルトを外してゼッケン板（９）の表裏の数字（１１）を選定して取り付ければよい。
【図面の簡単な説明】
【００１１】
【図１】本考案の一実施例を示す斜視図。
【図２】ベルトを示し、（Ａ）は背面図、（Ｂ）は正面図、（Ｃ）は側面図。
【図３】ゼッケン板の一例を示し、（Ａ）は正面図、（Ｂ）は背面図。
【符号の説明】
【００１２】
１    クリップ
３    安全ピン
５    ベルト
６、７    スナップボタンの構成片
９    ゼッケン板
１０    挿通孔
【図１】
0003107413.tif 000003
【図２】
0003107413.tif 000004
【図３】
0003107413.tif 000005
(57)【要約】      （修正有）【課題】空気中に含まれる生活臭や悪臭ガスと塵埃等の除去機構に、環境ホルモンの発生が極めて少ないとされる天然材料を主に用いた、空気清浄器の提供。【解決手段】空気清浄器本体天然無垢木箱の上部に、空気取り入れファンを設け、その下方に木綿等の天然繊維のろ過材を設け、その中に活性炭等の吸着材を充填したことからなる。空気中の生活臭や悪臭ガスは、活性炭等の吸着材により物理化学的に吸着され、塵埃等は木綿等の天然繊維のろ過材により捕捉される。こうした天然材料を主体にした空気清浄器機構により、環境ホルモンの発生が極めて少ない空気清浄を可能にする。【選択図】図１
0003107434.tif 000002
【実用新案登録請求の範囲】
【請求項１】
清浄器本体天然無垢木箱の上部の開口部に空気取り入れファンを設け、空気取り入れファンの下方に天然繊維のろ過材を設け、ろ過材の中に吸着材を充填した空気清浄器。
【請求項２】
天然繊維のろ過材をしわ状に折り縮めた、請求１記載の空気清浄器。
【請求項３】
本体天然無垢木箱内に仕切り板を一箇所又は複数箇所設け、天然繊維のろ過材の中を通過する空気が活性炭等の吸着材に接触しやすい空気の流を起こさせている、請求１記載の空気清浄器。
【考案の詳細な説明】
【技術分野】
【０００１】  本考案は、空気中に含まれる生活臭や悪臭ガスと塵埃等の除去に天然材料を主に用いた空気清浄器に関するものである。
【技術背景】
【０００２】  最近、環境ホルモンが話題になってきた。一般の空気清浄器に於いては、生活臭や悪臭の除去に用いられる吸着材や、塵埃等の除去に用いられるろ過材、及び空気の通り道の主たる構成材料に環境ホルモンを発生させると言われている化学合成材料が使用されていると言っても過言ではない。
従来、これらの環境ホルモンの発生が極めて少ないとされる天然材料を主に用い実施された空気清浄器の例は殆ど見あたらない。
【考案の開示】
【考案が解決しようとする課題】
【０００３】  本考案は、空気中に含まれる生活臭や悪臭ガスと塵埃等除去機構に、環境ホルモンの発生が極めて少ないとされる天然材料を主に用いた、空気清浄器の提供を目的とする。
【課題を解決するための手段】
【課題を解決するための手段】
【０００４】  本考案の空気清浄器は、本体天然無垢木箱上部の開口部に空気取り入れファンを設け、空気取り入れファンの下方に天然繊維のろ過材を配置し、ろ過材内部に吸着材を充填した組み合わせからなる。
また、空気が空気取り入れファンを通過する際、天然繊維のろ過材をしわ状に折り縮めたこと、ろ過材の中を通過する空気が吸着材に接触しやすい流を起こさせる仕切り板を設けることも、より好ましい形態である。
【考案の効果】
【０００５】  上述の様に、空気清浄過程において構造上、化学合成材料を殆ど使用していない為、環境ホルモンの発生も心配する事もなく快適な室内環境が得られる上からも有意義な考案である。空気の清浄は、生活臭や悪臭ガスの除去に活性炭等の吸着材を通し、塵埃等の除去は木綿等の天然繊維のろ過材を通過させるのみで行うことができる実用価値が極めて高い考案であると言う事ができる。
【考案を実施するための最良の形態】
【０００６】  空気取り入れファンにより、生活臭や悪臭を含むガス及び塵埃等を含んだ空気を、清浄器本体天然無垢木箱の上部の開口部の空気取り入れ口から取り入れ、吸着材と接触させ生活臭や悪臭を物理化学的に吸着させる。さらに、天然繊維のろ過材で空気中に含まれる塵埃等を捕集したのち、側部排出口から清浄な空気を排出する。
【実施例】
【０００７】  以下、図面を参考にしながら本考案の実施例を説明する。
図１において、生活臭や悪臭ガスと塵埃等を含んだ空気は、空気取り入れファン２により清浄器本体天然無垢木箱１の上部の空気取り入れ開口部６から取り入れ、活性炭等の吸着材３に接触し、天然繊維のろ過材４を通過し清浄器本体天然無垢木箱１の側部の排出口７から清浄空気として排出される。【０００８】  この間、空気中に含まれる生活臭や悪臭ガスは活性炭等の吸着材に接触した際、活性炭等の吸着材３の持つ物理化学的機能により生活臭や悪臭ガスを吸着される。
さらに塵埃等の一部も活性炭等の吸着材３に接触し付着し捕捉される。
ろ過過程において、比較的大粒な塵埃は活性炭等の吸着材３で捕捉されるが、細かい塵埃等は天然繊維のろ過材４で捕集される。
天然繊維のろ過材４は一般的な木綿を使用し、広い面積を確保するためにしわ状に折り縮めている。【０００９】  空気取り入れファン２は、空気を活性炭等の吸着材３と木綿等の天然繊維のろ過材４を通過させ、排出口６から清浄にした空気を排出する流れをつくる。【００１０】  清浄器本体天然無垢木箱１の上部の開口部６から取り入れられた空気は、活性炭等の吸着材３及び木綿等天然繊維のろ過材４を通過する際、生活臭や悪臭ガスと塵埃等が吸着及び捕捉される。
このように、本考案によれば、空気中の生活臭や悪臭ガスは活性炭等の吸着材３により物理化学的に吸着する。
また、天然繊維のろ過材の中を通過する空気が活性炭等の吸着材３に接触しやすい流を起こすよう本体天然無垢木箱１の内部に仕切り板５を一箇所又は複数箇所設けている。
さらに、塵埃等は木綿等天然繊維のろ過材４により捕集する。また比較的大きな塵埃等は木炭等の吸着材３による粒子間の捕捉が行われる。【００１１】  空気が空気取り入れファン２を通過する際、空気中に含まれる塵埃等は静電気を帯び、捕捉及び捕集を一層促進している。
【図面の簡単な説明】
【図１】本考案の空気清浄器の実施例を示す断面図である。
【符号の説明】
【００１２】  １本体天然無垢木箱
２空気取り入れファン
３吸着材
４天然繊維のろ過材
５仕切り板
６空気取り入れ開口部
７排出口
【図１】
0003107434.tif 000003